(57)【要約】【解決手段】安全シリンジであって、その一方端部に孔を有するバレルと、バレルに位置付けられた栓であって、孔と栓の間に空間を作る、栓とを備える、安全シリンジ。安全シリンジはまた、バレルに固定されたハンドル部分と、ハンドル部分に摺動可能に係合され、バレル内で内方ストロークで移動可能なシリンジプランジャであって、孔から空間内の物質が押し出されるように、バレル内で栓を前方に動かす、シリンジプランジャとを備える。安全シリンジは、バレルに回転力が加えられるように、シリンジプランジャが栓に接触する内方ストロークの間の点で、バレル内でシリンジプランジャを回転させるように構成された回転機構と、ハンドル部分に連結され、バレルに加えられる回転力に抵抗する摩擦力をもたらすように構成されたブレーキとをさらに備える。【選択図】図１
2022502154.tif 000002
【特許請求の範囲】
【請求項１】
安全シリンジであって、
その一方端部に孔を有するバレルと、
バレルに位置付けられる栓であって、孔と栓の間に空間を作る、栓と、
バレルに固定されたハンドル部分と、
ハンドル部分に摺動可能に係合され、バレル内で内方ストロークで移動可能なシリンジプランジャであって、孔から空間内の物質が押し出されるように、バレル内で栓を前方に動かす、シリンジプランジャと、
バレルに回転力が加えられるように、シリンジプランジャが栓に接触する内方ストロークの間の点で、バレル内でシリンジプランジャを回転させるように構成された回転機構と、
ハンドル部分に連結され、バレルに加えられる回転力に抵抗する摩擦力をもたらすように構成されたブレーキとを備える、安全シリンジ。
【請求項２】
ハンドル部分は、ブレーキを直接的または間接的にバレルに押圧した状態で保持するように構成される、ことを特徴とする請求項１に記載の安全シリンジ。
【請求項３】
ブレーキは、バレルの側壁に摩擦力を加えるように構成される、ことを特徴とする請求項１または２に記載の安全シリンジ。
【請求項４】
ブレーキは、バレルが収容されるハンドル部分の開口部の少なくとも一部を形成する、ことを特徴とする請求項１〜３のいずれかに記載の安全シリンジ。
【請求項５】
ブレーキは、開口部の内周の少なくとも一部を形成する、ことを特徴とする請求項４に記載の安全シリンジ。
【請求項６】
バレルとブレーキの間に締まり嵌めが形成されるように、バレルが開口部内に収容される、ことを特徴とする請求項４または５に記載の安全シリンジ。
【請求項７】
ブレーキは、エラストマーのグロメットを備える、ことを特徴とする請求項１〜６のいずれかに記載の安全シリンジ。
【請求項８】
バレルが開口部内に収容される前に、開口部の直径は、シリンジのバレルの直径よりも大きく、
バレルが開口部内に収容されると、ブレーキが作動可能である、ことを特徴とする請求項４〜６のいずれかに直接的または間接的に従属する場合の請求項７に記載の安全シリンジ。
【請求項９】
グロメットは、バレルおよび／またはハンドル部分と相互作用し、バレルのフランジによってグロメットを押圧することによって、および／または、グロメットを横方向に移動して、バレルの側壁に接させることによって、ブレーキを作動するように構成される、ことを特徴とする請求項７または８に記載の安全シリンジ。
【請求項１０】
ハンドル部分は、グロメットにハンドル部分に対して軸方向の力を加えると、グロメットを押圧するように、および／または、横方向に移動させるように構成された反応面を備える、ことを特徴とする請求項９に記載の安全シリンジ。
【請求項１１】
反応面は、グロメットがハンドル部分に対して軸方向に移動すると、グロメットを横方向内方に変位させるように角度が付けられる、ことを特徴とする請求項１０に記載の安全シリンジ。
【請求項１２】
反応面は、グロメットのハンドル部分に対する軸方向の移動に抵抗するように構成され、それにより、グロメットに加わる軸方向の力によって、グロメットを押圧および／または横方向に拡大する、ことを特徴とする請求項１０または１１に記載の安全シリンジ。
【請求項１３】
グロメットの後方面は、バレルが開口部の中に収容されたときに、バレルのフランジに接触するように構成される、ことを特徴とする請求項１０〜１２のいずれかに記載の安全シリンジ。
【請求項１４】
後方面は、開口部の後方端部から延在する、ことを特徴とする請求項１３に記載の安全シリンジ。
【請求項１５】
ハンドル部分は、バレルの前方移動を防ぐために、バレルを開口部内に収容すると、バレルのフランジに接触するように構成された、底に達する面を備える、ことを特徴とする請求項１３または１４に記載の安全シリンジ。
【請求項１６】
ハンドル部分は、開口部を開くように操作可能であり、
ブレーキを作動させるため、バレルを開口部内に挿入した後に、開口部を閉めるようにさらに操作可能である、ことを特徴とする請求項８〜１５のいずれかに記載の安全シリンジ。
【請求項１７】
ハンドル部分は、開口部を開くために分離可能な２つの部分を備える、ことを特徴とする請求項１６に記載の安全シリンジ。
【請求項１８】
２つの部分は、ヒンジによって連結される、ことを特徴とする請求項１７に記載の安全シリンジ。
【請求項１９】
安全シリンジは、ハンドル部分に嵌合可能な挿入部であって、ブレーキを作動させるように構成された、挿入部をさらに備える、ことを特徴とする請求項９に記載の安全シリンジ。
【請求項２０】
挿入部は、グロメットと相互作用して、グロメットを横方向内方に変位させるように構成された１つ以上の横方向変位機能部を備える、ことを特徴とする請求項１９に記載の安全シリンジ。
【請求項２１】
ブレーキは、バレルの後方面に接触する、ことを特徴とする請求項１９または２０に記載の安全シリンジ。
【請求項２２】
挿入部は、ブレーキをバレルの後方面に押圧した状態で保持するように構成される、ことを特徴とする請求項２１に記載の安全シリンジ。
【請求項２３】
安全シリンジは、
安全プランジャであって、安全プランジャの内方ストロークによって、シリンジプランジャの内方ストロークが生じるように、シリンジプランジャに長手方向に結合された、安全プランジャと、
ハンドル部分に直接的または間接的に摺動可能に係合され、バレルの孔を少なくとも部分的に覆うように構成された外装とをさらに備え、
安全プランジャは、内方ストロークにおける第１の点で外装に長手方向に結合するように構成され、安全プランジャがシリンジプランジャから独立して長手方向に移動可能なように、内方ストロークにおける第２の点でシリンジプランジャから長手方向に分離するように構成され、
長手方向に分離した後に安全プランジャがさらに移動することによって、外装がバレルの孔を少なくとも部分的に覆う、ことを特徴とする請求項１〜２２のいずれかに記載の安全シリンジ。
【請求項２４】
安全シリンジの操作に先立ち、安全プランジャは、外装から長手方向に分離され、内方ストロークにおける第１の点で外装に長手方向に結合するように構成される、ことを特徴とする請求項２３に記載の安全シリンジ。
【請求項２５】
安全プランジャとシリンジプランジャが長手方向に分離された後に、バレルに回転力が加えられる、ことを特徴とする請求項２３または２４に記載の安全シリンジ。
【請求項２６】
回転機構は、安全プランジャにある第１のねじ山と、シリンジプランジャにあり、第１のねじ山に係合されるように構成された第２のねじ山とを備え、長手方向に分離された後に安全プランジャが移動すると、シリンジプランジャを回転させる、ことを特徴とする請求項２３〜２５のいずれかに記載の安全シリンジ装置。
【請求項２７】
回転機構は、長手方向に分離された後に安全プランジャの移動速度を制御するようにさらに構成される、ことを特徴とする請求項２６に記載の安全シリンジ。
【請求項２８】
シリンジと共に使用する安全シリンジ器具であって、前記シリンジは、その一方端部に孔を有するバレルと、バレルに位置付けられる栓であって、孔と栓の間に空間を作る、栓とを備え、前記安全シリンジ器具は、
バレルに固定するハンドル部分と、
ハンドル部分に摺動可能に係合され、ハンドル部分がバレルに固定されたときに、バレル内で内方ストロークで移動可能なシリンジプランジャであって、孔から空間内の物質が押し出されるように、バレル内で栓を前方に動かすように構成された、シリンジプランジャと、
バレルに回転力が加えられるように、シリンジプランジャが栓に接触する内方ストロークの間の点で、バレル内でシリンジプランジャを回転させるように構成された回転機構と、
ハンドル部分に連結され、バレルに加えられる回転力に抵抗する摩擦力をもたらすように構成されたブレーキとを備える、安全シリンジ器具。
【請求項２９】
シリンジと共に使用する器具を形成する部品キットであって、前記シリンジは、その一方端部に孔を有するバレルと、バレルに位置付けられた栓であって、孔と栓の間に空間を作る、栓とを備え、前記部品キットは、
バレルに固定するハンドル部分と、
ハンドル部分に摺動可能に係合され、ハンドル部分がバレルに固定されたときに、バレル内で内方ストロークで移動可能なシリンジプランジャであって、孔から空間内の物質が押し出されるように、バレル内で栓を前方に動かすように構成された、シリンジプランジャと、
バレルに回転力が加えられるように、シリンジプランジャが栓に接触する内方ストロークの間の点で、バレル内でシリンジプランジャを回転させるように構成された回転機構と、
ハンドル部分に連結可能であって、バレルに加えられる回転力に抵抗する摩擦力をもたらすように構成されたブレーキとを備える、部品キット。
【請求項３０】
ハンドル部分は、バレルに固定されたときに、ブレーキを直接的または間接的にバレルに押圧した状態で保持するように構成される、ことを特徴とする請求項２９に記載の部品キット。
【請求項３１】
部品キットは、
安全プランジャであって、安全プランジャの内方ストロークによって、シリンジプランジャの内方ストロークが生じるように、シリンジプランジャに長手方向に結合されるように構成された安全プランジャと、
バレルの孔を少なくとも部分的に覆うように構成された外装とをさらに備え、
安全プランジャは、内方ストロークにおける第１の点で外装に長手方向に結合するように構成され、安全プランジャがシリンジプランジャから独立して長手方向に移動可能なように、内方ストロークにおける第２の点でシリンジプランジャから長手方向に分離するように構成され、
長手方向に分離した後に安全プランジャがさらに移動することによって、外装がバレルの孔を少なくとも部分的に覆う、ことを特徴とする請求項２９または３０に記載の部品キット。
【請求項３２】
安全シリンジであって、
その一方端部に孔を有し、そこに皮下注射針が嵌合されたバレルと、
バレルに位置付けられた栓であって、孔と栓の間に空間を作る、栓と、
バレルに固定されたハンドル部分と、
ハンドル部分に摺動可能に係合され、バレル内で内方ストロークで移動可能なシリンジプランジャであって、孔から空間内の物質が押し出されるように、バレル内で栓を前方に動かすように構成された、シリンジプランジャと、
ハンドル部分に直接的または間接的に摺動可能に係合され、皮下注射針を少なくとも部分的に覆うため、内方ストロークエンドに達するまでの内方ストロークにおける点で、シリンジプランジャに加えられる力の制御に基づき配置可能である外装とを備え、
使用において、外装を配置することによって、外装を注入部位の面に接触させ、注入部位から皮下注射針を引き出す、安全シリンジ。
【請求項３３】
物質の少なくとも一部は、内方ストロークエンドに達するまでの内方ストロークにおける点でバレルの中に残留する、ことを特徴とする請求項３２に記載の安全シリンジ。
【請求項３４】
物質の前記少なくとも一部は、０．０１ｍｌ〜０．２ｍｌ、０．０１ｍｌ〜０．０５ｍｌ、または０．０１ｍｌ〜０．０２ｍｌの範囲の容量である、ことを特徴とする請求項３３に記載の安全シリンジ。
【請求項３５】
外装は、内方ストロークエンドに達するまでの内方ストロークにおける点で、シリンジのバレルの首部の前方端部を越えて移動するように構成される、ことを特徴とする請求項３２〜３４のいずれかに記載の安全シリンジ。
【請求項３６】
外装がバレルの首部の前方端部を越えて移動したときに、物質の前記少なくとも一部がバレルに残留する、ことを特徴とする請求項３３または３４のいずれかに直接的または間接的に従属する場合の請求項３５に記載の安全シリンジ。
【請求項３７】
安全シリンジは、シリンジプランジャに長手方向に結合される安全プランジャであって、安全プランジャの内方ストロークによって、シリンジプランジャの内方ストロークが生じる、安全プランジャをさらに備える、ことを特徴とする請求項３６に記載の安全シリンジ。
【請求項３８】
安全プランジャは、安全プランジャが内方ストロークでさらに移動することによって、外装を配置するように、シリンジプランジャの内方ストロークにおける点で、外装に長手方向に結合するように構成される、ことを特徴とする請求項３７に記載の安全シリンジ。
【請求項３９】
外装は、少なくとも１つの長手方向のチャネルを備える、ことを特徴とする請求項３８に記載の安全シリンジ。
【請求項４０】
安全プランジャは、少なくとも１つのチャネル内に収容され、少なくとも１つのチャネル内で移動できるように配置される少なくとも１つのアームを備える、ことを特徴とする請求項３９に記載の安全シリンジ。
【請求項４１】
少なくとも１つのアームは、シリンジプランジャの内方ストロークにおける点で、少なくとも１つのチャネルの前方端部に接触するように構成される、ことを特徴とする請求項４０に記載の安全シリンジ。
【請求項４２】
少なくとも１つのアームは、少なくとも１つのチャネルの前方端部に接触して、安全プランジャを外装に長手方向に結合させるように構成される、ことを特徴とする請求項４１に記載の安全シリンジ。
【請求項４３】
シリンジと共に使用する安全シリンジ器具であって、前記シリンジは、その一方端部に孔を有し、そこに皮下注射針が嵌合されたバレルと、バレルに位置付けられた栓であって、孔と栓の間に空間を作る、栓とを備え、前記安全シリンジ器具は、
バレルに固定するハンドル部分と、
ハンドル部分に摺動可能に係合され、ハンドル部分がバレルに固定されたときに、バレル内で内方ストロークで移動可能なシリンジプランジャであって、孔から空間内の物質が押し出されるように、栓を前方に動かすように構成された、シリンジプランジャと、
ハンドル部分に直接的または間接的に摺動可能に係合され、皮下注射針を少なくとも部分的に覆うため、内方ストロークエンドに達するまでの内方ストロークにおける点で、シリンジプランジャに加えられる力の制御に基づき配置可能である外装とを備え、
使用において、外装を配置することによって、外装を注入部位の面に接触させ、注入部位から皮下注射針を引き出す、安全シリンジ器具。
【請求項４４】
シリンジと共に使用する器具を形成する部品キットであって、前記シリンジは、その一方端部に孔を有し、そこに皮下注射針が嵌合されたバレルと、バレルに位置付けられた栓であって、孔と栓の間に空間を作るように構成された、栓とを備え、前記部品キットは、
バレルに固定するハンドル部分と、
ハンドル部分に摺動可能に係合され、ハンドル部分がバレルに固定されたときに、バレル内で内方ストロークで移動可能なシリンジプランジャであって、孔から空間内の物質が押し出されるように、バレル内で栓を前方に動かすように構成された、シリンジプランジャと、
ハンドル部分に直接的または間接的に摺動可能に係合され、皮下注射針を少なくとも部分的に覆うため、ハンドル部分に係合されたときに、内方ストロークエンドに達するまでの内方ストロークにおける点で、シリンジプランジャに加えられる力の制御に基づき配置可能であるように構成された外装とを備え、
使用において、外装を配置することによって、外装を注入部位の面に接触させ、注入部位から皮下注射針を引き出す、部品キット。
【請求項４５】
安全シリンジであって、
その一方端部に孔を有するバレルと、
バレルに位置付けられた栓であって、孔と栓の間に空間を作る、栓と、
バレルに固定されたハンドル部分と、
ハンドル部分に摺動可能に係合され、バレル内で内方ストロークで移動可能なシリンジプランジャであって、孔から空間内の物質が押し出されるように、バレル内で栓を前方に動かす、シリンジプランジャと、
ハンドル部分に直接的または間接的に摺動可能に係合され、シリンジの使用の後に、バレルの孔を少なくとも部分的に覆うように配置可能である外装とを備え、
外装は、外装の内寸法を画定するバレルの外壁を少なくとも部分的に取り囲み、
外装は、前方端部に、バレルの外寸法よりも小さい寸法の開口部を備える、安全シリンジ。
【請求項４６】
開口部の外端縁と外装の内壁の間に、縁部が形成される、ことを特徴とする請求項４５に記載の安全シリンジ。
【請求項４７】
縁部は、バレルの肩部に接触して位置付けられる、ことを特徴とする請求項４６に記載の安全シリンジ。
【請求項４８】
シリンジのバレルは、直径が８．０５ｍｍ超、および／または、直径が１０．７５ｍｍである、ことを特徴とする請求項４５〜４７のいずれかに記載の安全シリンジ。
【請求項４９】
外装は、外装の前方端部が、バレルの孔に嵌合された皮下注射針の前方端部を２ｍｍ〜１０ｍｍ越える範囲に存在する程度に配置可能である、ことを特徴とする請求項４５〜４８のいずれかに記載の安全シリンジ。
【請求項５０】
シリンジと共に使用する安全シリンジ器具であって、前記シリンジは、その一方端部に孔を有するバレルと、バレルに位置付けられた栓であって、孔と栓の間に空間を作る、栓とを備え、前記安全シリンジ器具は、
バレルに固定するハンドル部分と、
ハンドル部分に摺動可能に係合され、ハンドル部分がバレルに固定されたときに、バレル内で内方ストロークで移動可能なシリンジプランジャであって、孔から空間内の物質が押し出されるように、バレル内で栓を前方に動かすように構成された、シリンジプランジャと、
ハンドル部分に直接的または間接的に摺動可能に係合され、シリンジの使用の後に、バレルの孔を少なくとも部分的に覆うように配置可能である外装とを備え、
安全シリンジ器具がシリンジに嵌合されたときに、外装は、外装の内寸法を画定するバレルの外壁を少なくとも部分的に取り囲み、
外装は、前方端部に、外装の内寸法よりも小さい寸法の開口部を備える、安全シリンジ器具。
【請求項５１】
シリンジと共に使用する器具を形成する部品キットであって、前記シリンジは、その一方端部に孔を有するバレルと、バレルに位置付けられた栓であって、孔と栓の間に空間を作る、栓とを含み、前記部品キットは、
バレルに固定するハンドル部分と、
ハンドル部分に摺動可能に係合され、ハンドル部分がバレルに固定されたときに、バレル内で内方ストロークで移動可能なシリンジプランジャであって、孔から空間内の物質が押し出されるように、バレル内で栓を前方に動かすように構成された、シリンジプランジャと、
ハンドル部分に直接的または間接的に摺動可能に係合され、シリンジの使用の後に、バレルの孔を少なくとも部分的に覆うように配置可能であるように構成された外装とを備え、
部品キットがシリンジに組み立てられたときに、外装は、外装の内寸法を画定するバレルの外壁を少なくとも部分的に取り囲み、
外装は、前方端部に、外装の内寸法よりも小さい寸法の開口部を備える、部品キット。
【発明の詳細な説明】
【技術分野】
【０００１】
本発明は、安全シリンジ、およびシリンジを安全シリンジに転換するためにシリンジに嵌合する器具に関する。特定の実施形態においては、本発明は、受動的な安全シリンジ、および関連する装置に関するものであるが、これらに限定されない。
【背景技術】
【０００２】
概して、シリンジは、一方端部に皮下注射針を有するバレルと、バレル内を移動するように構成されたプランジャとを備え、それにより、プランジャの内方ストロークによって、針からバレル内に格納された物質が押し出される。
【０００３】
安全シリンジは、典型的には、患者に注射した後に皮下注射針から医療従事者を保護するための何らかの形態の安全機構を含む。例示的な安全シリンジは、針を覆う外装を含む場合や、シリンジのバレル内に針を引っ込ませる場合もある。
【０００４】
安全シリンジは、概して、「能動的」なものと「受動的」なものに分けることができる。能動的な安全シリンジは、典型的には、安全機構を作動させるためにシリンジの使用者による何らかの動作が必要になる。そのような動作は、患者から針が抜針された後に行われても、患者から針が抜針される間に行われてもよい。典型的には、安全機構を作動させるのに必要な動作は、プランジャの内方ストロークを生じさせるのに必要な動作とは別々のものである。受動的な安全シリンジは、典型的には、使用者による特定の動作がなくても、つまり、シリンジを使用するために通常行われる以外の動作がなくても、安全機構を作動させる。
【０００５】
シリンジの使用の後に針を覆うための安全機構は、使用者への刺し傷を防ぐのに十分でなければならず、刺し傷には、使用者が安全機構自体に偶発的に接触した場合の刺し傷を含む。
【発明の概要】
【０００６】
第１の態様における本発明によれば、安全シリンジが提供され、前記安全シリンジは、その一方端部に孔を有するバレルと、バレルに位置付けられる栓であって、孔と栓の間に空間（ｖｏｌｕｍｅ）を作る、栓と、バレルに固定されたハンドル部分と、ハンドル部分に摺動可能に係合され、バレル内で内方ストロークで移動可能なシリンジプランジャであって、孔から空間内の物質が押し出されるように、バレル内で栓を前方に動かす、シリンジプランジャと、バレルに回転力が加えられるように、シリンジプランジャが栓に接触する内方ストロークの間の点で、バレル内でシリンジプランジャを回転させるように構成された回転機構と、ハンドル部分に連結され、バレルに加えられる回転力に抵抗する摩擦力をもたらすように構成されたブレーキとを備える、安全シリンジである。シリンジの回転機構は、シリンジプランジャをバレルに押し込むために使用者によって加えられる力に基づいて、シリンジのプランジャを回転させることができる。
【０００７】
随意に、ハンドル部分は、ブレーキを直接的または間接的にバレルに押圧した状態で保持するように構成される。
【０００８】
随意に、ブレーキは、バレルの側壁に摩擦力を加えるように構成される。
【０００９】
随意に、ブレーキは、バレルが収容されるハンドル部分の開口部の少なくとも一部を形成する。
【００１０】
随意に、ブレーキは、開口部の内周の少なくとも一部を形成する。
【００１１】
随意に、バレルとブレーキの間に締まり嵌めが形成されるように、バレルが開口部内に収容される。
【００１２】
随意に、ブレーキは、グロメットを備える。グロメットは弾性変形可能であってもよく、いくつかの例では、エラストマーであってもよい。
【００１３】
随意に、バレルが開口部内に収容される前に、開口部の直径は、シリンジのバレルの直径よりも大きく、バレルが開口部内に収容されると、ブレーキが作動可能である。
【００１４】
随意に、グロメットは、バレルおよび／またはハンドル部分と相互作用し、バレルのフランジによってグロメットを押圧することによって、および／または、グロメットを横方向に移動して、バレルの側壁に接させることによって、ブレーキを作動するように構成される。
【００１５】
随意に、ハンドル部分は、グロメットにハンドル部分に対して軸方向の力を加えると、グロメットを押圧するように、および／または、横方向に移動させるように構成された反応面を備える。
【００１６】
随意に、反応面は、グロメットがハンドル部分に対して軸方向に移動すると、グロメットを横方向内方に変位させるように角度が付けられる。
【００１７】
随意に、反応面は、グロメットのハンドル部分に対する軸方向の移動に抵抗するように構成され、それにより、グロメットに加わる軸方向の力によって、グロメットを押圧および／または横方向に拡大する。
【００１８】
随意に、グロメットの後方面は、バレルが開口部の中に収容されたときに、バレルのフランジに接触するように構成される。
【００１９】
随意に、後方面は、開口部の後方端部から延在する。
【００２０】
随意に、ハンドル部分は、バレルの前方移動を防ぐために、バレルを開口部内に収容すると、バレルのフランジに接触するように構成された、底に達する面（ｂｏｔｔｏｍ  ｏｕｔ  ｆａｃｅ）を含む。
【００２１】
随意に、ハンドル部分は、開口部を開くように操作可能であり、ブレーキを作動させるため、バレルを開口部内に挿入した後に、開口部を閉めるようにさらに操作可能である。
【００２２】
随意に、ハンドル部分は、開口部を開くために分離可能な２つの部分を備える。
【００２３】
随意に、２つの部分は、ヒンジによって連結される。
【００２４】
随意に、安全シリンジは、ハンドル部分に嵌合可能であり、ブレーキを作動させるように構成された挿入部をさらに含む。
【００２５】
随意に、挿入部は、グロメットと相互作用して、グロメットを横方向内方に変位させるように構成された１つ以上の横方向変位機能部を備える。
【００２６】
随意に、ブレーキは、バレルの上面または後方面に接触する。
【００２７】
随意に、挿入部は、ブレーキをバレルの上面または後方面に押圧した状態で保持するように構成される。
【００２８】
随意に、安全シリンジは、安全プランジャであって、安全プランジャの内方ストロークによって、シリンジプランジャの内方ストロークが生じるように、シリンジプランジャに長手方向に結合された安全プランジャをさらに含む。
【００２９】
随意に、安全シリンジは、ハンドル部分に直接的または間接的に摺動可能に係合され、バレルの孔を少なくとも部分的に覆うように構成された外装をさらに備える。
【００３０】
随意に、安全プランジャは、内方ストロークにおける第１の点で外装に長手方向に結合するように構成され、安全プランジャがシリンジプランジャから独立して長手方向に移動可能なように、内方ストロークにおける第２の点でシリンジプランジャから長手方向に分離するように構成され、長手方向に分離した後に安全プランジャがさらに移動することによって、外装がバレルの孔を少なくとも部分的に覆う。
【００３１】
随意に、安全シリンジの操作に先立ち、安全プランジャは、外装から長手方向に分離され、内向きのストロークにおける第１の点で外装に長手方向に結合するように構成される。
【００３２】
随意に、安全プランジャとシリンジプランジャが長手方向に分離された後に、バレルに回転力が加えられる。
【００３３】
随意に、回転機構は、安全プランジャにある第１のねじ山と、シリンジプランジャにあり、第１のねじ山に係合されるように構成された第２のねじ山とを備え、長手方向に分離された後に安全プランジャが移動すると、シリンジプランジャを回転させる。
【００３４】
随意に、回転機構は、長手方向に分離された後に安全プランジャの移動速度を制御するようにさらに構成される。
【００３５】
別の態様における本発明によれば、シリンジと共に使用する安全シリンジ器具が提供され、前記シリンジは、その一方端部に孔を有するバレルと、バレルに位置付けられる栓であって、孔と栓の間に空間を作る、栓とを備え、前記安全シリンジ器具は、バレルに固定するハンドル部分と、ハンドル部分に摺動可能に係合され、ハンドル部分がバレルに固定されたときに、バレル内で内方ストロークで移動可能なシリンジプランジャであって、孔から空間内の物質が押し出されるように、バレル内で栓を前方に動かすように構成された、シリンジプランジャと、バレルに回転力が加えられるように、シリンジプランジャが栓に接触する内方ストロークの間の点で、バレル内でシリンジプランジャを回転させるように構成された回転機構と、ハンドル部分に連結され、バレルに加えられる回転力に抵抗する摩擦力をもたらすように構成されたブレーキとを備える。
【００３６】
別の態様における本発明によれば、シリンジと共に使用する器具を形成する部品キットが提供され、前記シリンジは、その一方端部に孔を有するバレルと、バレルに位置付けられた栓であって、孔と栓の間に空間を作る、栓とを備え、前記部品キットは、バレルに固定するハンドル部分と、ハンドル部分に摺動可能に係合され、ハンドル部分がバレルに固定されたときに、バレル内で内方ストロークで移動可能なシリンジプランジャであって、孔から空間内の物質が押し出されるように、バレル内で栓を前方に動かすように構成された、シリンジプランジャと、バレルに回転力が加えられるように、シリンジプランジャが栓に接触する内方ストロークの間の点で、バレル内でシリンジプランジャを回転させるように構成された回転機構と、ハンドル部分に連結可能であって、バレルに加えられる回転力に抵抗する摩擦力をもたらすように構成されたブレーキとを備える。
【００３７】
随意に、ハンドル部分は、バレルに固定されたときに、ブレーキを直接的または間接的にバレルに押圧した状態で保持するように構成される。
【００３８】
随意に、部品キットは、安全プランジャであって、安全プランジャの内方ストロークによって、シリンジプランジャの内方ストロークが生じるように、シリンジプランジャに長手方向に結合されるように構成された安全プランジャと、バレルの孔を少なくとも部分的に覆うように構成された外装とをさらに備え、安全プランジャは、内方ストロークにおける第１の点で外装に長手方向に結合するように構成され、安全プランジャがシリンジプランジャから独立して長手方向に移動可能なように、内方ストロークにおける第２の点でシリンジプランジャから長手方向に分離するように構成され、長手方向に分離した後に安全プランジャがさらに移動することによって、外装がバレルの孔を少なくとも部分的に覆う。
【００３９】
別の態様における本発明によれば、安全シリンジが提供され、前記安全シリンジは、その一方端部に孔を有し、そこに皮下注射針が嵌合されたバレルと、バレルに位置付けられた栓であって、孔と栓の間に空間を作る、栓と、バレルに固定されたハンドル部分と、ハンドル部分に摺動可能に係合され、バレル内で内方ストロークで移動可能なシリンジプランジャであって、孔から空間内の物質が押し出されるように、バレル内で栓を前方に動かすように構成された、シリンジプランジャと、ハンドル部分に直接的または間接的に摺動可能に係合され、皮下注射針を少なくとも部分的に覆うため、内方ストロークエンドに達するまでの内方ストロークにおける点で、シリンジプランジャに加えられる力の制御に基づき配置可能である外装とを備え、使用において、外装を配置することによって、外装を注入部位の面に接触させ、注入部位から皮下注射針を引き出す。
【００４０】
随意に、物質の少なくとも一部は、内方ストロークエンドに達するまでの内方ストロークにおける点でバレルの中に残留する。
【００４１】
随意に、物質の前記少なくとも一部は、０．０１ｍｌ〜０．２ｍｌ、０．０１ｍｌ〜０．０５ｍｌ、または０．０１ｍｌ〜０．０２ｍｌの範囲の容量である。
【００４２】
随意に、外装は、内方ストロークエンドに達するまでの内方ストロークにおける点で、シリンジのバレルの首部の前方端部を越えて移動するように構成される。
【００４３】
随意に、外装がバレルの首部の前方端部を越えて移動したときに、物質の前記少なくとも一部がバレルに残留する。
【００４４】
随意に、安全シリンジは、シリンジプランジャに長手方向に結合される安全プランジャであって、安全プランジャの内方ストロークによって、シリンジプランジャの内方ストロークが生じる、安全プランジャをさらに備える。
【００４５】
随意に、安全プランジャは、安全プランジャが内方ストロークでさらに移動することによって、外装を配置するように、シリンジプランジャの内方ストロークにおける点で、外装に長手方向に結合するように構成される。
【００４６】
随意に、外装は、少なくとも１つの長手方向のチャネルを備える。
【００４７】
随意に、安全プランジャは、少なくとも１つのチャネル内に収容され、少なくとも１つのチャネル内で移動できるように配置される少なくとも１つのアームを備える。
【００４８】
随意に、少なくとも１つのアームは、シリンジプランジャの内方ストロークにおける点で、少なくとも１つのチャネルの前方端部に接触するように構成される。
【００４９】
随意に、少なくとも１つのアームは、少なくとも１つのチャネルの前方端部に接触して、安全プランジャを外装に長手方向に結合させるように構成される。
【００５０】
別の態様における本発明によれば、シリンジと共に使用する安全シリンジ器具が提供され、前記シリンジは、その一方端部に孔を有し、そこに皮下注射針が嵌合されたバレルと、バレルに位置付けられた栓であって、孔と栓の間に空間を作る、栓とを備え、前記安全シリンジ器具は、バレルに固定するハンドル部分と、ハンドル部分に摺動可能に係合され、ハンドル部分がバレルに固定されたときに、バレル内で内方ストロークで移動可能なシリンジプランジャであって、孔から空間内の物質が押し出されるように、栓を前方に動かすように構成された、シリンジプランジャと、ハンドル部分に直接的または間接的に摺動可能に係合され、皮下注射針を少なくとも部分的に覆うため、内方ストロークエンドに達するまでの内方ストロークにおける点で、シリンジプランジャに加えられる力の制御に基づき配置可能である外装とを備え、使用において、外装を配置することによって、外装を注入部位の面に接触させ、注入部位から皮下注射針を引き出す。
【００５１】
別の態様における本発明によれば、シリンジと共に使用する器具を形成する部品キットが提供され、前記シリンジは、その一方端部に孔を有し、そこに皮下注射針が嵌合されたバレルと、バレルに位置付けられた栓であって、孔と栓の間に空間を作るように構成された、栓とを備え、前記部品キットは、バレルに固定するハンドル部分と、ハンドル部分に摺動可能に係合され、ハンドル部分がバレルに固定されたときに、バレル内で内方ストロークで移動可能なシリンジプランジャであって、孔から空間内の物質が押し出されるように、バレル内で栓を前方に動かすように構成された、シリンジプランジャと、ハンドル部分に直接的または間接的に摺動可能に係合され、皮下注射針を少なくとも部分的に覆うため、ハンドル部分に係合されたときに、内方ストロークエンドに達するまでの内方ストロークにおける点で、シリンジプランジャに加えられる力の制御に基づき配置可能であるように構成された外装とを備え、使用において、外装を配置することによって、外装を注入部位の面に接触させ、注入部位から皮下注射針を引き出す。
【００５２】
別の態様における本発明によれば、安全シリンジが提供され、該安全シリンジは、その一方端部に孔を有するバレルと、バレルに位置付けられた栓であって、孔と栓の間に空間を作る、栓と、バレルに固定されたハンドル部分と、ハンドル部分に摺動可能に係合され、バレル内で内方ストロークで移動可能なシリンジプランジャであって、孔から空間内の物質が押し出されるように、バレル内で栓を前方に動かす、シリンジプランジャと、ハンドル部分に直接的または間接的に摺動可能に係合され、シリンジの使用の後に、バレルの孔を少なくとも部分的に覆うように配置可能である外装とを備え、外装は、外装の内寸法を画定するバレルの外壁を少なくとも部分的に取り囲み、外装は、前方端部に、バレルの外寸法よりも小さい寸法の開口部を備える。
【００５３】
随意に、開口部の外端縁と外装の内壁の間に、縁部が形成される。
【００５４】
随意に、縁部は、バレルの肩部に接触して位置付けられる。
【００５５】
随意に、シリンジのバレルは、直径が８．１５ｍｍ超、および／または、直径が１２ｍｍである。
【００５６】
随意に、外装は、外装の前方端部が、バレルの孔に嵌合された皮下注射針の前方端部を２ｍｍ〜１０ｍｍ越える範囲に存在する程度に配置可能である。
【００５７】
別の態様における本発明によれば、シリンジと共に使用する安全シリンジ器具が提供され、前記シリンジは、その一方端部に孔を有するバレルと、バレルに位置付けられた栓であって、孔と栓の間に空間を作る、栓とを備え、前記安全シリンジ器具は、バレルに固定するハンドル部分と、ハンドル部分に摺動可能に係合され、ハンドル部分がバレルに固定されたときに、バレル内で内方ストロークで移動可能なシリンジプランジャであって、孔から空間内の物質が押し出されるように、バレル内で栓を前方に動かすように構成された、シリンジプランジャと、ハンドル部分に直接的または間接的に摺動可能に係合され、シリンジの使用の後に、バレルの孔を少なくとも部分的に覆うように配置可能である外装とを備え、安全シリンジ器具がシリンジに嵌合されたときに、外装は、外装の内寸法を画定するバレルの外壁を少なくとも部分的に取り囲み、外装は、前方端部に、外装の内寸法よりも小さい寸法の開口部を備える。
【００５８】
別の態様における本発明によれば、シリンジと共に使用する器具を形成する部品キットが提供され、前記シリンジは、その一方端部に孔を有するバレルと、バレルに位置付けられた栓であって、孔と栓の間に空間を作る、栓とを含み、前記部品キットは、バレルに固定するハンドル部分と、ハンドル部分に摺動可能に係合され、ハンドル部分がバレルに固定されたときに、バレル内で内方ストロークで移動可能なシリンジプランジャであって、孔から空間内の物質が押し出されるように、バレル内で栓を前方に動かすように構成された、シリンジプランジャと、ハンドル部分に直接的または間接的に摺動可能に係合され、シリンジの使用の後に、バレルの孔を少なくとも部分的に覆うように配置可能であるように構成された外装とを備え、部品キットがシリンジに組み立てられたときに、外装は、外装の内寸法を画定するバレルの外壁を少なくとも部分的に取り囲み、外装は、前方端部に、外装の内寸法よりも小さい寸法の開口部を備える。
【図面の簡単な説明】
【００５９】
【図１】安全シリンジの断面図である。
【図２ａ】内方ストロークに沿った第１の点にある安全シリンジの平面図である。
【図２ｂ】内方ストロークに沿った第２の点にある安全シリンジの平面図である。
【図２ｃ】内方ストロークに沿った第３の点にある安全シリンジの平面図である。
【図３】安全シリンジの等角図である。
【図４】安全シリンジの回転機構の概略図である。
【図５ａ】ハンドル部分の平面図である。
【図５ｂ】ハンドル部分とシリンジプランジャの等角図である。
【図５ｃ】ハンドル部分とシリンジプランジャの断面図である。
【図６ａ】カットされたフランジを備えた、シリンジのバレルの平面図である。
【図６ｂ】丸みを帯びたフランジを備えた、シリンジのバレルの平面図である。
【図７】安全シリンジの断面図である。
【図８ａ】例示的なブレーキの構成を示す。
【図８ｂ】例示的なブレーキの構成を示す。
【図８ｃ】例示的なブレーキの構成を示す。
【図８ｄ】例示的なブレーキの構成を示す。
【図８ｅ】例示的なブレーキの構成を示す。
【図８ｆ】例示的なブレーキの構成を示す。
【図９】安全シリンジの平面図である。
【発明を実施するための形態】
【００６０】
概して、本明細書では、安全シリンジが開示され、前記安全シリンジは、針が露出される第１の位置から、シリンジの針が覆われる配置位置に移動可能な外装を備える。外装は、シリンジの通常の操作の間、つまり、シリンジのバレルから物質を押し出すための、シリンジプランジャの内方ストロークの間、使用者によって加えられる力に基づき移動可能であってもよい。例示的な安全シリンジでは、外装は、内方ストロークの間にシリンジのバレルに沿って移動し、その後、バレルの端部を越えて移動して、針を覆うことができる。したがって、例示的な外装は、外装がバレルの長さに沿って移動することができるように、前方端部および後方端部に開口部を備える。
【００６１】
刺し傷を防ぐため、外装の前方端部（したがって、前方端部にある開口部）は、外装が完全に配置されたときには、針の端部を通り過ぎて、特定の距離まで延在することが必要とされてもよい。これによって、指または使用者の身体の他の部分が開口部に入り、針に接触してしまう恐れを減らす。外装の前方端部が針の端部を通り過ぎて延在してもよい距離を判断するための試験の１つとして、ひとたび外装が配置されると、外装の前方端部にある開口部に対して１２ｍｍの球体を保持することが挙げられる。外装の寸法は、開口部に対して１２ｍｍの球体が保持されたときに、針に触れないようなものでなければならない。
【００６２】
本発明者らは、より大きな直径のシリンジのバレルを使用したときには、試験の要件を満たすために、外装が針を通り過ぎて延在しなければならない距離が拡大することを認識するに至った。例示的な安全シリンジでは、これによって、シリンジプランジャのストロークの全長が拡大し得り、シリンジを操作するために、使用者が手を伸ばす力に影響を及ぼし得る。さらに、本発明者らは、外装の前方端部にある開口部の直径を小さくすることによって、外装が針の端部を越えて移動しなければならない距離が小さくなることを認識するに至った。
【００６３】
したがって、例示的な外装は、外装の内寸法を画定するバレルを少なくとも部分的に取り囲むように構成されてもよい。外装の前方端部にある開口部は、外装の内寸法よりも小さい寸法である。外装の開口部は、バレルの外寸法よりも小さい寸法であってもよい。いくつかの構成では、外装の前方端部にある開口部は、外装を配置する前にバレルの本体部分の前方に位置付けられてもよく、バレルの首部に隣接して位置していてもよい。
【００６４】
本明細書全体を通して、「前方」という用語は、患者に面する側の安全シリンジの端部を指す。すなわち、安全シリンジの前方端部は、使用中に注入部位の近位にある端部である。同様に、「後」または「後方」という用語は、患者側ではない安全シリンジの端部またはその構成部品の端部を指す。すなわち、「後方」という用語は、使用中に注入部位から遠位にある、または離れていることを意味する。その他、軸方向、長手方向などの相対的な用語は、装置の説明を補助する目的で使用される。
【００６５】
図１は、安全シリンジ（１００）を示し、前記安全シリンジ（１００）は、バレル（１０２）と、バレルの首部（１０４）と、皮下注射針（１０６）とを備えるシリンジを備える。皮下注射針（１０６）は、中空になっている。バレル（１０２）は、患者に注入される物質を収容するように構成される。バレルは、バレルの首部（１０４）に向かうにつれて狭くなる肩部（１０８）を備える。バレルの首部（１０４）は、皮下注射針（１０６）を収容するように構成された孔を備え、それにより、バレル（１０２）と針（１０６）の中空のチャネルの間に流路が存在する。例示的な安全シリンジ（１００）では、針（１０６）は、バレルの首部（１０４）を介してバレル（１０２）に固定して取り付けられる。他の例示的な安全シリンジ（１００）では、針（１０６）は、バレル（１０２）に取り外し可能に取り付けられてもよい。このような安全シリンジ（１００）では、針（１０６）は、同一または異なる種類の他の針に取り替えられることができる。
【００６６】
シリンジは、シリンジプランジャ（１１０）と、栓（１１２）とをさらに備える。シリンジプランジャ（１１０）は、バレル（１０２）の中に収容され、栓（１１２）に連結するように構成される。シリンジプランジャ（１１０）と栓（１１２）は、バレル（１０２）内を移動するように構成される。シリンジプランジャ（１１０）は、内方ストロークで移動することができ、シリンジプランジャ（１１０）は、バレル（１０２）の中にさらに移動する。または、シリンジプランジャ（１１０）は、外方ストロークで移動することができ、シリンジプランジャ（１１０）は、バレルから引き出される。シリンジプランジャ（１１０）と栓（１１２）は、シリンジプランジャ（１１０）の内方ストロークによって、栓（１１２）を内方に移動させ、栓（１１２）によって、バレルの中（栓（１１２）とバレルの首部（１０４）の端部の間に形成された空間の中）に保持された物質をバレル（１０２）の開口端部から、皮下注射針（１０６）を通って押し出させるように構成される。
【００６７】
安全シリンジ（１００）は、安全シリンジ器具をさらに備え、前記安全シリンジ器具は、外装（１１４）と、バレル（１０２）に対して固定されたハンドル部分（１１６）と、安全プランジャ（１１８）とを備える。
【００６８】
図１の例示的な器具では、安全プランジャ（１１８）は、頭部（１２０）とアーム（１２２ａ、１２２ｂ）とを備える。アーム（１２２ａ、１２２ｂ）は、安全プランジャ（１１８）の内方ストロークにおける点で外装（１１４）に係合するように構成された外装接触面を備えてもよい。外装接触面は、外装（１１４）の面に直接的に接触することによって、外装（１１４）に係合してもよい。図２ａの例示的な器具では、外装接触面（１２３ａ、１２３ｂ）は、アーム（１２２ａ、１２２ｂ）の後方位置に位置し、（図２ｂに示されるように）外装１１８の後方位置に位置する外装の面（１１９ａ、１１９ｂ）に接触するように構成される。代替的な構成では（図３に示されるものなど）、外装接触面（１２３ａ、１２３ｂ）は、アーム（１２２ａ、１２２ｂ）の前方端部に位置してもよく、外装の前方位置に位置する外装の面に接触するように構成されてもよい。例えば、外装接触面は、アームの端面（１２５ａ、１２５ｂ）であってもよい。
【００６９】
外装（１１４）は、外装（１１４）の内寸法を画定するバレル（１０２）の外壁（１２１）を取り囲む。外装（１１４）は、前方端部に開口部（１２６）を備える。開口部（１２６）は、外装（１１４）の配置の前には、肩部（１０８）の前方に位置付けられてもよい。開口部（１２６）の寸法（例えば直径）は、外装（１１４）の内寸法（例えば直径）よりも小さい。例示的な安全シリンジでは、外装（１１０）の開口部（１２６）の寸法（例えば直径）は、バレル（１０２）の外壁（１２１）よりも小さくてもよい。
【００７０】
図１の例示的な安全シリンジでは、外装は縁部（１２８）を備える。縁部（１２８）は、外装（１１４）の内壁（１３０）から径方向内方に延在して、開口部（１２６）を画定する。図１では、縁部は、開口部の直径がバレルの外壁（１２１）よりも小さい直径になるような点まで内方に延在する。縁部（１２８）は、外装の配置の前には、安全シリンジ（１００）の肩部（１０８）に接触するように構成されてもよい。図１の構成では、縁部（１２８）は、外装が移動して針（１０６）を覆う前には、安全シリンジ（１００）の肩部（１０８）の前方面に接触するように構成される。他の構成では、縁部（１２８）は、外装（１１４）の配置の前には、肩部（１０８）の前方の任意の点にあってもよく、それにより、開口部（１２６）の直径をバレル（１０２）の外径よりも小さくすることができる。
【００７１】
外装（１１４）は、チャネル（１３２ａ、１３２ｂ）を備える。チャネル（１３２ａ、１３２ｂ）は、安全プランジャ（１１８）のアーム（１２２ａ、１２２ｂ）に対応し、内方ストロークの間にアーム（１２２ａ、１２２ｂ）の１つが各チャネル（１３２ａ、１３２ｂ）内で移動できるように構成される。
【００７２】
図１の外装（１１４）は、実質的にバレル（１０２）の全長に沿ってバレル（１０２）を取り囲むように示されている。代替的な構成では、外装は、バレル（１０２）の前方にある、針側の端部のみにおいて、バレルを取り囲んでもよい。このような構成では、外装（１１４）は、外装が針（１０６）を覆ったときに、外装の少なくとも一部がなおバレル（１０２）を取り囲むような長さであってもよい。
【００７３】
ハンドル部分（１１６）は、本体（１３４）と、本体（１３４）から横方向に延在するフランジ（１３６ａ、１３６ｂ）とを備える。本体（１３４）は、バレル（１０２）を取り囲み、そこに固定される部分を備える。フランジ（１３６ａ、１３６ｂ）は、使用者の親指が安全プランジャ（１１８）の頭部（１２０）に力を加えている間、人差し指と中指を収容するように構成されているが、指および／または親指の任意の組み合わせが使用されてもよい。ハンドル部分（１１６）は、針（１０６）に結合された孔の遠位端部にあるバレル（１０２）の端部を収容するように構成された開口部（１３８）によって、バレル（１０２）に固定される。図１の実施形態では、バレル（１０２）は、ハンドル部分（１１６）によって収容される、径方向に突出した縁部（１３９）を備えるが、代替的な構成では、ハンドル部分（１１６）は、径方向に突出した縁部がなくてもシリンジのバレルを収容してもよい。
【００７４】
外装（１１４）は、ハンドル部分（１１６）の本体（１３４）内に少なくとも部分的に収容されてもよい。
【００７５】
安全プランジャ（１１８）のアーム（１２２ａ、１２２ｂ）は、ハンドル部分（１１６）を通り抜けるように構成され、それにより、安全プランジャ（１１８）がハンドル部分（１１６）に対して、したがってバレル（１０２）に対して、ストロークで移動できる。
【００７６】
安全シリンジ（１００）は、安全プランジャ（１１８）の内方ストロークの移動によって、シリンジプランジャ（１１０）の内方ストロークが生じるように、安全プランジャ（１１８）とシリンジプランジャ（１１０）を結合するように構成された結合構成を備えてもよい。安全シリンジ（１００）は、シリンジプランジャ（１１０）に対する安全プランジャ（１１８）の相対移動が可能なように、安全プランジャ（１１８）とシリンジプランジャ（１１０）を分離するように構成された分離構成を備えてもよい。
【００７７】
当業者ならば、多くの結合機構や分離機構が利用されてもよいことを理解するであろう。例えば、シリンジプランジャと安全プランジャのうちの一方は、シリンジプランジャと安全プランジャのうちの他方にある結合凸部を収容するように構成された結合凹部を備えてもよい。凸部は、結合凹部に係合して、安全プランジャとシリンジプランジャを結合するように構成され、そして、結合凹部から離脱して、安全プランジャとシリンジプランジャを分離するように構成されてもよい。代替的な結合構成や分離構成については、下記に記載する。
【００７８】
図２ａ〜２ｃは、安全プランジャ（１１８）の内方ストロークに沿った様々な位置における安全シリンジ（１００）の図を示す。安全シリンジ（１００）の操作については、図２ａ〜２ｃを参照して下記に記載する。
【００７９】
図２ａは、ストロークの最も外方にある点に完全に延在したシリンジプランジャ（１１０）と安全プランジャ（１１８）の両方を備えた安全シリンジ（１００）を示す。シリンジプランジャ（１１０）は、安全プランジャ（１１８）に結合される。
【００８０】
使用者は、一方の手の人差し指と中指をハンドル部分（１１６）のフランジ（１３６ａ、１３６ｂ）に対して配置し、同じ手の親指を安全プランジャ（１１８）の頭部（１２０）に配置してもよい。その後、使用者は、人差し指と中指に向かって親指を閉じることによって、頭部（１２０）とハンドル部分（１１６）に相対力を加える。明瞭化のために、この相対力は、本明細書では頭部（１２０）に加えられる力とみなす。
【００８１】
頭部（１２０）に加えられる力によって、安全プランジャ（１１８）の内方ストロークが始まる。安全プランジャ（１１８）とシリンジプランジャ（１１０）は結合されているので、シリンジプランジャ（１１０）の内方ストロークも始まる。つまり、シリンジプランジャ（１１０）と安全プランジャ（１１８）は、安全プランジャ（１１８）の内方ストロークおよび／または外方ストロークで共に移動するという意味で長手方向に結合される。アーム（１２２ａ、１２２ｂ）は、ハンドル部分（１１６）を通り抜け、外装（１１４）のチャネル（１３２ａ、１３２ｂ）内を移動する。安全プランジャ（１１８）のアーム（１２２ａ、１２２ｂ）は、外装接触面（１２３ａ、１２３ｂ）が外装に係合するまで、チャネル（１３２ａ、１３２ｂ）内を移動し続ける。図２ｂは、外装接触面（１２３ａ、１２３ｂ）が外装（１１４）に係合して、安全プランジャ（１１８）と外装（１１４）の長手方向の結合をもたらす点を示す。
【００８２】
図２ｂに示される例示的な構成では、安全プランジャ（１１８）の外装接触面（１２３ａ、１２３ｂ）は、外装のチャネル（１３２ａ、１３２ｂ）の後方端部に位置する外装の面（１１９ａ、１１９ｂ）に係合する。図２ｂでは、外装接触面（１２３ａ、１２３ｂ）と、外装のチャネル（１３２ａ、１３２ｂ）の面（１１９ａ、１１９ｂ）の間の係合は、当接することによってもたらされる。したがって、安全プランジャ（１１８）は外装（１１４）に結合し、それにより、内方ストロークで、安全プランジャ（１１８）の頭部（１２０）に力を加え続けることによって、外装を移動させて、針（１０６）を部分的に覆う。
【００８３】
代替的な構成では、アーム（１２２ａ、１２２ｂ）の端面（１２５ａ、１２５ｂ）は、チャネル（１３２ａ、１３２ｂ）の前方端部に位置する面に接触して、当接をもたらしてもよい（図３参照）。外装（１１４）に加えられる前方力は、比較的強度の弱い外装（１１４）のチャネル（１３２ａ、１３２ｂ）を通り抜けるのではなく、アーム（１２２ａ、１２２ｂ）を通り抜けるので、このような構成は、アーム（１２２ａ、１２２ｂ）が、外装（１１４）よりも強度の強い材料から製造される場合に、利点がある。
【００８４】
安全プランジャ（１１８）と外装（１１４）の間の長手方向の結合が生じる点は、シリンジプランジャ（１１０）が内方ストロークし終えている点であってもよい。つまり、結合は、シリンジプランジャ（１１０）のストロークの最も内方にある点で生じてもよいが、これは必須ではない。このような構成によって、外装が配置されて、針を覆う前に、確実に、バレル（１０２）内に格納された物質がすべて、シリンジ（１００）から押し出されている。代替的な構成では、安全プランジャ（１１８）と外装（１１４）は、シリンジプランジャ（１１０）が内方ストロークし終える前の点で長手方向に結合してもよい（これについては、下記でより詳細に記載する）。
【００８５】
図２ａ〜２ｃの例示的な構成では、安全プランジャ（１１８）と外装（１１４）が長手方向に結合する点は、シリンジプランジャ（１１０）と安全プランジャ（１１８）が長手方向に分離する点である。あるいは、安全プランジャ（１１８）とシリンジプランジャ（１１０）は、安全プランジャ（１１８）と外装（１１４）が長手方向に結合する前または後の点で長手方向に分離してもよい。
【００８６】
長手方向に分離した後は、安全プランジャ（１１８）は、シリンジプランジャ（１１０）に対して内方ストロークで長手方向に自由に移動することができる。例えば、シリンジプランジャ（１１０）が長手方向に実質的に静止したままであっても、安全プランジャ（１１８）は長手方向に自由に移動することができる（これについては、下記でより詳細に記載する）。あるいは、長手方向に分離した後は、安全プランジャ（１１８）の長手方向の移動速度は、シリンジプランジャ（１１０）の長手方向の移動速度と異なってもよい。長手方向に分離した後に頭部（１２０）に力を加え続けることによって、安全プランジャ（１１８）が内方ストロークし続ける。外装（１１４）は、外装結合面（１２３ａ、１２３ｂ）によって安全プランジャ（１１８）に長手方向に結合されるので、安全プランジャ（１１８）が内方ストロークし続けると、結果、外装（１１４）が内方に移動する。
【００８７】
使用者が頭部（１２０）に力を加え続けると、安全プランジャ（１１８）がハンドル部分（１１６）を通り抜け続け、外装が移動し始めて、バレルの首部（１０４）を少なくとも部分的に取り囲む。
【００８８】
図２ｃに示されるように、安全プランジャ（１１８）の内方ストロークが終わったときに、頭部（１２０）がハンドル部分（１１６）に当接し、また、シリンジプランジャ（１１０）の頭部にも当接する。この位置で、外装（１１４）は、バレルの首部（１０４）および針（１０６）を取り囲むように延在する。外装（１１４）の前方端部は、針が露出されないように、針（１０６）の先端を超えて延在する。この位置で、安全プランジャ（１１８）は、バレル（１０２）および針（１０６）に対してロックすることができ、これにより、針（１０６）が露出されてしまうことがない。例示的な安全シリンジでは、安全プランジャ（１１０）は、ハンドル部分（１１６）にロックされることができる。
【００８９】
外装（１１４）を配置する前に、バレル（１０２）の肩部（１０８）の前方に外装（１１４）の開口部を位置付けることによって、外装の開口部（１２６）を小さくすることができる。これは、開口部が、バレル（１０２）に比べて寸法が小さくされたバレルの首部（１０４）のみで、もはやバレル（１０２）の直径の周りに延在する必要はないからである。これは、刺し傷を防ぐために、（バレルの直径と等しい開口部（１２６）に比べて）針（１０６）の前方端部の前にそれ程延在する必要はないことを意味する。したがって、（典型的には、バレルの直径がより大きい）より大きなシリンジと共に安全シリンジ器具が使用されたときに、外装（１１８）の前方端部が針の前方端部を越えて延在する距離を拡大する必要がない。例えば、シリンジのバレルは、８．０５ｍｍ（１ｍｌシリンジの典型的な直径）超でもよく、１０．７５ｍｍ（２．２５ｍｌシリンジの典型的な直径）以上であってもよい。外装の前方端部にある開口部は、直径が、バレルの直径よりも最大２ｍｍ小さく、最大１ｍｍ小さく、または０．５〜２ｍｍの範囲内で小さくてもよい。さらに、外装は、バレルの首部（１０４）および針（１０６）の長さを若干越える距離のみしか移動する必要がないので、内方ストロークの長さは拡大されない。
【００９０】
図４を参照すると、安全シリンジ（１００）は、安全プランジャ（１１８）とシリンジプランジャを長手方向に分離した後に外装の配置速度を制御する器具をさらに備えてもよい。下記で説明するように、この器具は、バレルに回転力を与えるという意味で回転機構であるとみなされてもよい。回転力は、この機構自体によって実現される速度制御の副産物である。他の機構でもシリンジのバレルに回転力を与えることができ、本明細書に開示されている方法や器具は、下記に記載される特定の機構に適用可能であるように、同様に他の機構にも適用可能であることを、当業者ならば理解するであろう。例示的な方法や器具は、バレルの回転が抵抗されるような任意の構成において使用できる。
【００９１】
例示的な器具は、安全プランジャ（１１８）にある第１のねじ山（１４２）と、シリンジプランジャ（１１０）にあり、第１のねじ山（１４２）に係合するように構成された、対応する第２のねじ山（１４４）とを備える。
【００９２】
したがって、安全シリンジは、外装の配置速度を抑制および／または制御し、それにより、被験者から針（１０６）を抜く速度を抑制および／または制御するように構成される。図示される例示的な器具は、長手方向に分離した後に、シリンジプランジャ（１１０）の中に延在するように構成された部材（１４０）を備え、シリンジプランジャ（１１０）は、第２のねじを内部に備える。
【００９３】
分離した後に、安全プランジャ（１１８）の部材（１４０）にある第１のねじ山（１４２）は、シリンジプランジャ（１１０）にある第２のねじ山（１４４）と相互作用して、回転力を与える。この回転力によって、シリンジプランジャが安全シリンジ（１００）のバレル（１０２）内で回転する。したがって、安全プランジャ（１１８）とシリンジプランジャ（１１０）は長手方向に分離されているにもかかわらず、回転可能に結合されたままである。
【００９４】
バレル（１０２）内のシリンジプランジャ（１１０）の回転は、シリンジプランジャ（１１０）の前方端部と栓（１１２）の間の摩擦によって抵抗され、これによって、シリンジプランジャ（１１０）から分離した後に、安全プランジャ（１１８）の移動速度を抑制および／または制御する。
【００９５】
栓（１１２）は、ゴム引き材料などの弾性変形可能な材料で形成されてもよく、バレル（１０２）の内径よりも若干大きな直径であり、それにより、栓（１１２）がバレル（１０２）内に挿入されたときに、封止部が形成される。また、その封止部は、バレル（１０２）内のシリンジプランジャ（１１０）の回転運動に対して抵抗をもたらす。あるいは、またはそれに加えて、ねじ山（１４２、１４４）は、例えばねじ山（１４２、１４４）自体の間の摩擦によって、シリンジプランジャ（１１０）の回転運動に抵抗するように構成されてもよい。ねじ山（１４２、１４４）が相互作用する面は、特に摩擦力をもたらすように構成されてもよい。さらに、シリンジプランジャ（１１０）は、栓（１１２）に固定されなくてもよく、そこで自由に回転できる。そのような構成では、シリンジプランジャ（１１０）の回転に抵抗する力の少なくとも一部は、シリンジプランジャ（１１０）と栓（１１２）の間の摩擦によってもたらされてもよい。
【００９６】
図５ａは、ハンドル部分（１１６）の端面図を示す。図５ｂは、ハンドル部分（１１６）を部分的に通り抜けたシリンジプランジャ（１１０）の斜視図を示す。図５ｃは、ハンドル部分（１１６）を完全に通り抜けたシリンジプランジャ（１１０）の断面を示す。明瞭化のために、図５ａ〜５ｃは、安全シリンジ（１００）の他の機能部は示さない。
【００９７】
例示的な器具では、シリンジプランジャ（１１０）の回転を防ぐことによって、安全プランジャ（１１８）は、少なくとも部分的に内方ストロークに沿ってシリンジプランジャ（１１０）に結合されてもよい。シリンジプランジャ（１１０）の回転が防がれると、第１のねじ山と第２のねじ山（１４２、１４４）は相互作用して、シリンジプランジャ（１１０）を回転させることができないので、シリンジプランジャ（１１０）は、安全プランジャ（１１８）に加えられる力に基づき、内方ストロークに沿って移動する。したがって、シリンジプランジャ（１１０）と安全プランジャ（１１８）は、内方（または外方）ストロークで共に移動するので、長手方向に結合される。
【００９８】
例示的な器具では、ハンドル部分（１１６）は、ハンドル部分（１１６）に施錠開口部（１５２）を備えてもよい。施錠開口部（１５２）は、シリンジプランジャ（１１０）にある施錠機能部（１５６ａ、１５６ｂ）に対応する施錠機能部（１５４ａ、１５４ｂ）を備え、それにより、図５ｂに示されるように、シリンジプランジャ（１１０）の施錠機能部（１５６ａ、１５６ｂ）がハンドル部分（１１６）の施錠機能部（１５４ａ、１５４ｂ）に係合したときに、シリンジプランジャ（１１０）の回転が防がれる。
【００９９】
シリンジプランジャ（１１０）は、ハンドル部分（１１６）から放され、回転できるようになったときに、安全プランジャ（１１８）から分離する。例示的な器具では、シリンジプランジャ（１１０）の施錠機能部（１５６ａ、１５６ｂ）がハンドル部分（１１６）の施錠機能部（１５４ａ、１５４ｂ）にもはや係合しなくなったことによって、これが実現してもよい。例えば、シリンジプランジャ（１１０）は、シリンジプランジャ（１１０）の長さの一部のみの上に施錠機能部（１５６ａ、１５６ｂ）を備えてもよく、これらの施錠機能部（１５６ａ、１５６ｂ）が施錠開口部（１５２）を通り抜けると、シリンジプランジャ（１１０）は、自由に回転できる。
【０１００】
あるいは、図５ａ〜５ｃで示されるように、シリンジプランジャ（１１０）の頭部（１５８）は、施錠開口部（１５２）を通り抜けることができるように構成されてもよい。例示的なシリンジプランジャ（１１０）では、頭部（１５８）は、施錠機能部（１５６ａ、１５６ｂ）を備えるシリンジプランジャ（１１０）の領域と同一の断面を有してもよい。このような例示的な場合では、シリンジプランジャ（１１０）は、図５ｃに示されるように、開口部（１５２）を完全に通り抜けるように構成される。シリンジプランジャ（１１０）が施錠開口部（１５２）を通り抜けたときに、シリンジプランジャ（１１０）の施錠機能部（１５６ａ、１５６ｂ）は、もはや施錠開口部（１５２）の施錠機能部（１５４ａ、１５４ｂ）に係合されず、シリンジプランジャ（１１０）は自由に回転できる。この点で、シリンジプランジャ（１１０）と安全プランジャ（１１８）は、長手方向に分離される。
【０１０１】
「分離される」という用語は、本明細書で使用される場合、シリンジプランジャと安全プランジャの間で相対移動が可能な任意の状況を包含することに注意されたい。特定の器具では、相対移動は、相対的な長手方向の移動であってもよい。これは、本明細書に開示されるすべての器具に対して該当する。つまり、シリンジプランジャは、安全プランジャから分離されるために取り外される必要や、別々にされる必要はない。さらに、分離した後に、なお、安全プランジャの内方ストローク（または外方ストローク）に沿った移動があってもよいが、安全プランジャとシリンジプランジャの間で移動速度に差異がある。例えば、長手方向に分離した後に、安全プランジャの内方ストロークに沿った移動、並びに、バレル内での回転運動があってもよいが、安全プランジャとシリンジプランジャの移動比は、１：１ではない。
【０１０２】
本発明者らは、例えば２．２５ｍｌシリンジと３ｍｌシリンジを使用すると、単回注入時に患者へ１ｍｌ超の薬剤を送達するということに関連した問題につながり得ることをさらに理解するに至った。いくつかの場合では、注入部位へ１ｍｌ超の用量の薬剤を送達すると、患者が全用量を吸入しない問題につながり得る。そのため、抜針された後に、注入部位から薬剤がいくらか漏れ出す場合がある。
【０１０３】
薬剤の全投与量が送達される前に、注入部位内でシリンジの針の深さを変更あるいは制御するように操作可能な安全シリンジが、概して、本明細書に開示される。例示的な構成では、これは、全投与量が送達される前に、シリンジの針を部分的に引き出すことを含む。例示的な安全シリンジは、外装と、シリンジプランジャとを備え、シリンジのバレル内の栓を動かして、バレル内の物質を投与するように構成された、シリンジプランジャとを備える。例示的な安全シリンジでは、針は、外装が配置されるときに、外装によって注入部位に加えられる力によって、注入部位から抜くことができる。いくつかの装置では、これは、バレル内の薬剤がすべて送達された後に行われる。本明細書に開示される例示的な構成では、外装は、内方ストロークエンドに達するまでの内方ストロークにおける点で配置可能であってもよく、それにより、シリンジプランジャが薬剤を完全に投与する前に、外装が患者の皮膚に力を加えて、針を抜く。
【０１０４】
薬剤が完全に投与される前に外装を配置する（したがって、針を引き出す）という概念は、安全シリンジの多くの構成に適用されることができる。しかし、下記に記載する特定の構成は、前に記載した例示的な安全シリンジを参照する。
【０１０５】
例示的な安全シリンジは、上記に記載したのと略同一に作動してもよいが、シリンジプランジャが内方ストロークエンドに達する前に、安全プランジャを外装に長手方向に結合するように構成されてもよい。例示的な構成では、外装接触面は、安全プランジャのアームの端部（図３参照）または安全プランジャのアームの端部の後方にある面（図２ｂに示されるように）であってもよいが、安全プランジャとシリンジプランジャが長手方向に分離される前に、安全プランジャのアームと外装が長手方向に結合されるように位置付けられる。このような構成では、安全プランジャの内方ストロークの一部にわたって、安全プランジャと、シリンジプランジャと、外装とが共に長手方向に結合され、したがって、共に前方に移動する。さらに、外装の前方端部は、バレルの首部の前方端部に対して位置付けられ、それにより、安全プランジャと外装が長手方向に結合された後に、シリンジプランジャが内方ストロークの最も内方にある点に存在する前に、外装の前方端部が、バレルの首部の前方端部の前方に存在する。これにより、結果として、バレル内の薬剤が完全に送達される前に、外装の前方端部が注入部位に接触して、針を部分的に引き出す。
【０１０６】
例示的な安全シリンジでは、シリンジプランジャに回転力が加えられ得ることを、本発明者らは理解するに至った。例えば、安全プランジャとシリンジプランジャが長手方向に分離した後に、第１のねじおよび第２のねじによって（上記に記載したように）シリンジプランジャが回転させられ、その回転によって、バレルに回転力が与えられてもよい。このような安全シリンジでは、この回転力がバレル自体の回転を生じさせるのを防ぐことが望ましい場合もある。
【０１０７】
バレルの設計は多数存在し、フランジが完全なもの、フランジがカットされたもの、またはフランジがないものが存在する。図６ａは、（施錠面６６２ａ、６６２ｂを備えた）カットされたフランジ（６６０）を備えたバレルを示し、図６ｂは、丸みを帯びたフランジ（６６４）を備えたバレルを示す。カットされたフランジを備えたシリンジのバレルについては、（バレルが収容される）ハンドル部分の内壁にある施錠面を利用して、バレルの回転を防いでもよい。しかし、完全な（または丸みを帯びた）フランジを備えたシリンジのバレルについては、バレルの回転を防ぐ代替方法が必要となり得る。しかし、下記に記載した回転を防ぐ構成は、実質的に、バレルの任意のフランジ形状（カットされたフランジを含む）と共に利用され得ることが解されるであろう。
【０１０８】
概して、本明細書では、上記に開示された安全シリンジ器具などの安全シリンジ器具と共に使用するブレーキであって、摩擦力をもたらして、シリンジのバレルに加えられる回転力に抵抗するように構成された、ブレーキが開示される。ブレーキは、バレルに接触してもよい。
【０１０９】
ブレーキは、回転しないように固定したバレルに加えられる回転力に対して、抵抗するように構成されてもよい。そのため、ブレーキとバレルの間の相対的な回転運動を可能にするために越えなければならない、ブレーキとバレルの間の静止摩擦（静止摩擦力）を、ブレーキは、増加させることができる。摩擦力を増加させることによって、ブレーキは、バレルが回転し始めるのに対して抵抗する。
【０１１０】
図７は、例示的な安全シリンジ（７００）を示す。安全シリンジ（７００）の機能部の多くは、上記に記載した例示的な安全シリンジの機能部と同一または同様であり、そのため、これらの機能部に対して同一の参照番号が利用されるが、ただし、「７」で始まるものとする。したがって、繰返しを避けるため、ここでは、安全シリンジ（７００）の機能部のすべては記載しない。次の説明の焦点は、既に上記に記載した機能部とは異なる安全シリンジの機能部に当てられている。
【０１１１】
安全シリンジ（７００）は、バレル（７０２）と、栓（７１２）と、シリンジプランジャ（７１０）とを備えるシリンジを備える。安全シリンジ（７００）は、シリンジと共に使用する安全シリンジ器具をさらに備えてもよい。安全シリンジ器具は、外装（７１４）と、ハンドル部分（７１６）と、安全プランジャ（７１８）と、回転機構（７４０）と、ブレーキ（７６０）とを備える。
【０１１２】
上記に記載したように、例示的な安全シリンジ（７００）では、シリンジプランジャ（７１０）は、安全プランジャ（７１４）から長手方向に分離した後に、バレル（７０２）内で回転するように構成されてもよい。シリンジプランジャ（７１０）の回転は、上記に記載したように、第１のねじおよび第２のねじによって生じ得る。図７に示されていないが、シリンジプランジャ（７１０）は、内方ストロークエンドに存在するので、回転中に、栓（７１２）に係合される。さらに、安全プランジャとシリンジプランジャ（７１０）それぞれにある第１のねじと第２のねじは、相互作用して、シリンジプランジャ（７１０）を栓（７１２）に対して前方に付勢し、かつ、シリンジプランジャ（７１０）を回転させる。栓（７１２）は、バレルの端部によって制止される。この動作によって、シリンジプランジャ（７１０）と栓（７１２）の間に摩擦が生じ、シリンジプランジャ（７１０）に加えられる回転力を栓（７１２）に伝達する役目を果たす。栓（７１２）は、バレル内に締まり嵌めを有するので、したがって、回転力はバレルに伝達される。この回転力は、ブレーキ（７６０）によって抵抗されることができる。それにより、バレルの回転を防ぐことができる。
【０１１３】
ブレーキ（７６０）は、バレル（７０２）に直接的に接触してもよい。図７の例示的な安全シリンジ（７００）では、ブレーキ（７６０）は、バレル（７０２）の側壁（７２１）に接触する。代替的な構成では、ブレーキ（７６０）は、バレル（７０２）に間接的に接触してもよい。例えば、襟部（または他の構成部品）は、バレル（７０２）に長手方向かつ回転可能に固定されてもよく、ブレーキは、バレル（７０２）の回転に抵抗するために、襟部に接触してもよい。
【０１１４】
例示的な安全シリンジ（７００）では、ハンドル部分（７１６）は、バレル（７０２）に対して長手方向に固定される。ハンドル部分は、バレル（７０２）が収容される開口部を備える。
【０１１５】
ハンドル部分（７１６）は、ブレーキ（７６０）を収容し、組み立てられたときに、ブレーキ（７６０）をバレル（７０２）に押圧した状態で保持するようにさらに構成される。図７の安全シリンジ（７００）では、ブレーキ（７６０）は、直接的にバレル（７０２）に押圧された状態で保持される。代替的な構成では、ブレーキ（７６０）は、間接的にバレル（７０２）に押圧された状態で保持されてもよく、例えば、ブレーキ（７６０）は、バレルに結合された別の構成部品に押圧された状態で保持されてもよい。
【０１１６】
図７に示した安全シリンジ（７００）では、ブレーキの径方向の厚さは、バレルが収容されたときにバレル（７０２）とハンドル部分（７１６）の間に形成される隙間よりも若干大きくてもよい。そのため、ブレーキ（７６０）は、バレル（７０２）とハンドル部分（７１６）の間の締まり嵌めによって、バレル（７０２）とハンドル部分（７１６）の間で押圧された状態で保持される。
【０１１７】
例示的な安全シリンジ（７００）では、ブレーキは、グロメットを備える。グロメットは、バレルに接触する、ゴム引き要素やエラストマー要素などの弾性変形可能な材料を備えてもよい。図７では、グロメットのエラストマー要素は、バレルに直接的に接触するが、代替的な構成では、エラストマー要素は、（例えば、バレルに結合された別の構成部品を介して）バレル（７０２）に間接的に接触してもよい。
【０１１８】
グロメットは、シリンジのバレル（７０４）を収容するように構成された開口部（７６６）を備える。グロメットとバレル（７０４）の間に締まり嵌めが形成されるように、開口部（７６６）の寸法は、バレル（７０４）の外寸法よりも小さくてもよい。そのため、ブレーキ（７６０）は、開口部（７６６）の内周によって形成されてもよい。つまり、栓（７１２）によって加えられるバレル（７０２）の回転運動に抵抗する摩擦力は、締まり嵌めに起因して、グロメットによってバレル（７０４）の側壁に加えられる押圧力によってもたらすことができる。バレルの回転運動に対する抵抗を最大にするために、ブレーキとバレルの材料は、高い摩擦係数をもたらすように構成されてもよい。例えば、ブレーキは、熱可塑性エラストマー、例えば、Ｄｒｙｆｌｅｘ（登録商標）またはＭｅｄｉｐｒｅｎｅ（登録商標）から製造されてもよい。
【０１１９】
図８ａ〜８ｆは、ブレーキを実装するための例示的な構成の断面図を示す。
【０１２０】
図８ａでは、バレル（８０２）は、ハンドル部分（８１６）の開口部内に示されている。開口部は、側壁（８１７）によって画定される。ブレーキ（８６０ａ）は、グロメットを備え、この例では、グロメットは、弾性変形可能である。グロメット（８６０ａ）の内側壁は、後方点から前方に、内方に角度が付けられる。つまり、グロメット（８６０ａ）の内側壁は、前方方向に向かうにつれて狭くなる開口を画定する。図８ａに示されるように、グロメット（８６０ａ）の内側壁の前方領域は、バレル（８０２）の側壁に接する。したがって、ブレーキが作動する。
【０１２１】
図８ｂは、グロメット（８６０ｂ）を示し、前記グロメットは、バレル（８０２）の外径よりも大きい直径の開口部（８６６）を形成する。したがって、バレル（８０２）は、グロメット（８６０ｂ）からの干渉を受けることなく、開口部（８６６）を通り抜けることができる。つまり、バレル（８０２）は、バレル（８０２）の側壁がグロメット（８６０ｂ）の内側壁に接することなく、開口部（８６６）を通り抜けることができる。バレル（８０２）の側壁とグロメット（８６０ｂ）の間には、逃げ面（８８０）が存在する。この例示的な構成および他の例示的な構成では、逃げ面は、最大０．５ｍｍ、最大０．７５ｍｍ、最大１ｍｍ、または最大１．２５ｍｍであってもよい。
【０１２２】
したがって、バレル（８０２）が開口部（８６０ｂ）に入るときに、ブレーキが作動しない。ブレーキは、バレル（８０２）が開口部（８６６）に入った後に作動する。
【０１２３】
図８ｂの例示的な構成では、グロメット（８６０ｂ）は、反応面（８８０）に寄りかかる。反応面（８８０）は、グロメット（８６０ｂ）の前方移動に抵抗する。図８ａでは、反応面は、安全シリンジの軸方向と交差する。
【０１２４】
この例示的な構成および他の例示的な構成では、グロメット（８６０ｂ）は、開口部（８６６）の後方端部から後方に延在する。つまり、グロメット（８６０ｂ）の後方部は、ハンドル部分に形成された開口部（８６６）から盛り上がっている。これによって、グロメット（８６０ｂ）は、バレル（８０２）のフランジ（８６４）と相互作用することができる。フランジ（８６４）がグロメット（８６０ｂ）の後方部分に接すると、グロメット（８６０ｂ）に前方力が加えられる。前方力は、反応面（８８２）によって抵抗される。グロメット（８６０ｂ）が押圧される。グロメット（８６０ｂ）が押圧されることによって、グロメット（８６０ｂ）とフランジ（８６４）の間に静止摩擦力が発生する。それにより、ブレーキが作動する。グロメット（８６０ｂ）とフランジ（８６４）の下半分の間に静止摩擦力が発生することによって、シリンジの使用中に使用者によって加えられる力が、グロメット（８６０ｂ）にかかる押圧を増加させ、したがって、静止摩擦力を増加させるという利点がある。疑問を避けるため、「静止摩擦力」という用語は、本明細書で使用される場合、静止した面が動かされるのを防ごうとする摩擦を包含する。
【０１２５】
グロメット（８６０ｂ）とフランジ（８６４）の下半分の間の静止摩擦力に加えて、グロメット（８６０ｂ）は、押圧されている状態で、横方向に拡大してもよい。したがって、グロメット（８６０ｂ）の内側壁は、バレル（８０２）の側壁に接してもよい。したがって、バレル（８０２）の側壁に対して、さらに静止摩擦力が発生してもよい。
【０１２６】
また、図８ｃは、グロメット（８６０ｃ）を示し、前記グロメット（８６０ｃ）は、バレル（８０２）の外径よりも大きい直径の開口部（８６６）を形成する。したがって、図８ｂの逃げ面に類似した逃げ面（８８０）が形成され、バレル（８０２）が開口部（８６６）に入るときには、ブレーキは作動しない。
【０１２７】
図８ｃの構成は、反応面（８８４）をさらに含む。反応面（８８４）は、径方向内方に角度が付けられる。グロメット（８６０ｃ）が軸方向前方に移動すると、グロメット（８６０ｃ）は、反応面（８８４）と相互作用し、径方向内方に導かれる。したがって、グロメット（８６０ｃ）は、バレル（８０２）の側壁に接し、静止摩擦力を発生させる。他の例示的な構成のように、グロメット（８６０ｃ）の後方面は、バレル（８０２）のフランジ（８６４）によって接触されるように構成される。バレル（８０２）が前方方向にさらに移動することによって、グロメット（８６０ｃ）に対して前方力が発生する。グロメット（８６０ｃ）は、反応面（８８４）と相互作用し、横方向に、この場合は径方向内方に変位させられる。図８ｂのように、グロメット（８６０ｃ）は、開口部（８６６）の後方端部から後方に延在してもよい。
【０１２８】
図８ｄは、挿入部（８７２）がハンドル部分（８１６）に嵌合可能な構成を示す。挿入部（８７２）は、バレル（８０２）が開口部（８６６）内に収容された後に、ハンドル部分（８１６）に嵌合されてもよい。挿入部（８７２）は、ブレーキを作動させるように構成される。例示的な構成では、挿入部（８７２）は、バレル（８０２）に対してグロメット（８６０ｄ）の少なくとも一部を押圧して、静止摩擦力を発生させることによって、ブレーキを作動させることができる。
【０１２９】
図８ｄの例では、挿入部は、少なくとも１つの横方向変位機能部（８８６）を備える。横方向変位機能部（８８６）は、バレル（８０２）の側壁の径方向外側にあるハンドル部分（８１６）の中に延在するように構成された略円形の壁と、フランジが存在する場合は、フランジ（８６４）とを備える。横方向変位機能部（８８６）は、略円形の壁となる複数の個別の部分を備えてもよい。横方向変位機能部（８８６）は、ハンドル部分（８１６）の中に延在し、グロメット（８６０ｄ）を横方向に、例えば横方向内方に変位するように構成された任意の要素を備えてもよい。
【０１３０】
グロメット（８６０ｄ）は、開口部（８６６）内に位置付けられる。上記に記載したように、グロメット（８６０ｂ）の内側壁とバレル（８０２）の間には、逃げ面（８８０）が設けられる。
【０１３１】
挿入部（８７２）がハンドル部分（８１６）に嵌合されると、横方向変位機能部（８８６）はグロメット（８６０ｄ）に接触して、グロメット（８６０ｄ）を径方向内方に変位する。グロメット（８６０ｄ）は、バレル（８０２）の側壁に接し、静止摩擦力を発生させる。横方向変位機能部（８８６）とグロメットのうちの一方または両方は、グロメット（８６０ｄ）を径方向内方に横方向に変位するための面取り面を含んでもよい。
【０１３２】
いくつかの例示的な構成では、ブレーキ（例えばグロメット）は、シリンジのバレル（８０２）に嵌合されて、部分組立品を形成してもよい。その後、この部分組立品は、ハンドル部分（８１６）に対して軸方向に回転可能に固定されるように、ハンドル部分（８１６）の中に嵌合されてもよい。さらに、例示的な構成では、ハンドル部分（８１６）は、底に達する面を含んでもよく、バレル（８０２）が開口部（８６６）の中に完全に挿入された後に、底に達する面に、バレル（８０２）のフランジ（８６４）が寄りかかる。底に達する面は、バレル（８０２）が前方にさらに移動するのを防ぐ。
【０１３３】
図８ｅおよび８ｆは、ハンドル部分（８１６ｅ、８１６ｆ）が開口部（８６６）を開くように操作可能である例示的な構成を示す。例示的な構成は、開口部（８６６）を開くことによって、開口部（８６６）の直径をバレル（８０２）の直径よりも大きくすることができる。図８ｅおよび８ｆに示される構成など、他の構成では、開口部（８６６）が開かれ、それにより、開口部（８６６）が分断され、バレル（８０２）を横方向に挿入することができる。バレル（８０２）が（横方向または開口部を通して）開口部（８６６）の中に挿入された後に、ハンドル部分（８１６ｅ、８１６ｆ）は、バレル（８０２）の周りの開口部（８６６）を閉じるように操作可能である。開口部（８６６）は、グロメット（８６０ｅ、８６０ｆ）を備えてもよい。直径がバレル（８０２）の直径よりも大きくされるように開口部が開かれる場合に、グロメットは単一片であってもよい。図８ｅおよび８ｆに示される例では、開口部が分断され、グロメット（８６０ｅ、８６０ｆ）が複数の別々の部品、これらの場合は、２つの部品になる。
【０１３４】
図８ｅおよび８ｆのハンドル部分（８１６ｅ、８１６ｆ）は、開口部（８６６）を開いたり、分断したりするために分離可能な２つの部分を備える。ハンドル（８１６ｅ）の部分は、ヒンジによって連結され、ヒンジを開くことによって分離可能であり、また、ハンドル部分（８１６ｆ）の部分は、完全に分離される。開口部（８６６）が開かれ、バレル（８０２）が開口部（８６６）の中に挿入される。その後、例えばヒンジを閉めることによって、またはその他の方法でハンドル部分（８１６ｅ、８１６ｆ）の部分を接合することによって、開口部（８６６）が閉められる。グロメット（８６０ｅ、８６０ｆ）は、バレル（８０２）の側壁に圧接され、それにより、静止摩擦力を発生させ、ブレーキを作動させる。
【０１３５】
図９に、別の構成が示されている。図９の安全シリンジ（９００）の機能部の多くは、上記に記載した例示的な安全シリンジの機能部と同一または同様であり、そのため、これらの機能部に対して同一の参照番号が利用されるが、ただし、「９」で始まるものとする。したがって、繰返しを避けるため、ここでは、安全シリンジ（９００）の機能部のすべては記載しない。次の説明の焦点は、既に上記に記載した機能部とは異なる安全シリンジの機能部に当てられている。
【０１３６】
図９に示されるように、ブレーキ（９６０）は、バレル（９０２）の上面（または後方面）（９１７）に接触してもよい。バレル（９０２）の上面（９１７）がブレーキ（９６０）を押圧した状態で保持するように、バレル（９０２）は、ハンドル部分（９１６）内に保持されてもよい。ブレーキ（９６０）は、再度、グロメットを備えてもよい。
【０１３７】
この代替的な構成では、安全シリンジ（９００）は、ハンドル部分（９１６）に嵌合された挿入部（９７２）をさらに備えてもよい。そのような構成では、シリンジ（およびブレーキ（９６０））をハンドル部分（９１６）の後方側からハンドル部分（９１６）の開口部（図９に図示せず）の中に挿入することによって、安全シリンジ器具が組み立てられてもよく、それにより、最初にシリンジの針側の端部がハンドルの開口部を通り抜ける。その後、挿入されたシリンジの上にあるハンドル部分（９１６）の後方側に、挿入部（９７２）が嵌合されてもよい。例えば、挿入部（９７２）は、ハンドル部分（９１６）の後方側にスナップ嵌合するように構成されてもよい。
【０１３８】
挿入部（９７２）は、ブレーキ（９６０）をバレルの上面（９１７）に押圧した状態で保持するように構成されてもよい。挿入部（９７２）がハンドルに嵌合されたときに挿入部の前方面（９７４）とバレル（９０２）の上面（９１７）の間に形成される隙間の寸法は、長手方向におけるブレーキ（９６０）の厚さより若干小さい。そのため、バレル（９０２）と挿入部（９７２）の間にブレーキ（９６０）を押圧し、その結果、バレルの上に加えられる力によって、バレル（９０２）の回転運動に抵抗する摩擦力がもたらされる。
【０１３９】
図９に示される構成では、挿入部（９７２）は、ブレーキ（９６０）をバレル（９０２）のフランジ（９６２）に押圧した状態で保持してもよい。しかし、代替的な構成では、バレル（９０２）はフランジを有さなくてもよいことが理解されるであろう。そのような構成では、挿入部（９７２）がハンドル部（９１６）に嵌合されたときに挿入部の前方面（９７４）とフランジ（９６２）（または、フランジのない構成ではバレルの上面）の間に形成される隙間の寸法は、ブレーキ（９６０）が挿入されたときのブレーキ（９６０）の長手方向の厚さより若干小さい。
【０１４０】
図７に最もよく示されるように、挿入部（７７２、９７２）は、施錠開口部（７５２）（図７参照）を備えてもよく、前記施錠開口部（７５２）は、シリンジプランジャ（７１０）の施錠機能部に対応するとともに、安全シリンジ（１００）については上記に記載したように、分離するまで回転を妨げるように構成される。そのため、挿入部（７７２、９７２）は、前に記載されたブレーキの構成のいずれかと共に利用されてもよい。あるいは、挿入部（７７２、９７２）は、ブレーキ（７６０、９６０）から切り離して、丸みを帯びたフランジを備えたバレルと共に利用されてもよい。
【０１４１】
上記の例示的な構成は例示的なもののみであって、添付の特許請求の範囲によって定義される本発明の範囲を限定するとみなされるべきでないことを、当業者ならば理解するであろう。
【図１】
2022502154.tif 000003
【図２ａ】
2022502154.tif 000004
【図２ｂ】
2022502154.tif 000005
【図２ｃ】
2022502154.tif 000006
【図３】
2022502154.tif 000007
【図４】
2022502154.tif 000008
【図５ａ】
2022502154.tif 000009
【図５ｂ】
2022502154.tif 000010
【図５ｃ】
2022502154.tif 000011
【図６ａ】
2022502154.tif 000012
【図６ｂ】
2022502154.tif 000013
【図７】
2022502154.tif 000014
【図８ａ】
2022502154.tif 000015
【図８ｂ】
2022502154.tif 000016
【図８ｃ】
2022502154.tif 000017
【図８ｄ】
2022502154.tif 000018
【図８ｅ】
2022502154.tif 000019
【図８ｆ】
2022502154.tif 000020
【図９】
2022502154.tif 000021
【国際調査報告】
2022502154.tif 000022
2022502154.tif 000023
2022502154.tif 000024
2022502154.tif 000025
2022502154.tif 000026